(57)【要約】【課題】顧客が毎月自動取引装置で振込操作をする手間を省く。【解決手段】顧客が自動取引装置３にて振込取引を行う際に、振込日の指定をするか否かの選択をさせ、顧客が振込日を指定する場合、振込期間および振込日を入力するための画面情報を記憶部５から読み出して操作表示部６に表示し、この画面に従って入力された振込期間および振込日を振込取引に必要な情報と共に予約情報としてホストコンピュータ１に送信し、ホストコンピュータ１は受信した予約情報を記憶部５に記憶しておき、指定の日になれば、記憶した予約情報を基に振込処理を実行する。【選択図】        図１
2006164116.tif 000002
【特許請求の範囲】
【請求項１】
振込日の指定等を行う画面情報を記憶部に記憶すると共に、該画面情報を操作表示部に表示する自動取引装置と、
記憶部を有し、前記自動取引装置とデータの通信を行って取引を実行させるホストコンピュータとを備え、
顧客が前記自動取引装置にて振込取引を行う際に、振込日の指定をするか否かの選択をさせ、顧客が振込日を指定する場合、振込期間および振込日を入力するための画面情報を前記記憶部から読み出して前記操作表示部に表示し、この画面に従って入力された振込期間および振込日を振込取引に必要な情報と共に予約情報として前記ホストコンピュータに送信し、  
前記ホストコンピュータは受信した前記予約情報を前記記憶部に記憶しておくことを特徴とする振込取引処理システム。
【請求項２】
表示部と入力部を備えた顧客操作用の情報処理装置と、
振込日の指定等を行う画面情報を記憶部に格納し、インターネット上で取引を実行するサーバとを備え、
顧客が前記情報処理装置にて前記サーバと通信を行って振込取引を行う際に、振込日の指定をするか否かの選択をさせ、顧客が振込日を指定する場合、振込期間および振込日を入力するための画面を前記サーバの記憶部から提供される画面情報に基づいて表示部に表示し、この画面に従って入力部より入力された振込期間および振込日を振込取引に必要な情報と共に予約情報として前記サーバに送信し、
前記サーバは受信した前記予約情報を、前記記憶部に記憶しておくことことを特徴とする振込取引処理システム。
【発明の詳細な説明】
【技術分野】
【０００１】
本発明は、振込取引において振込みを実行する日を指定することができる振込取引処理システムに関する。
【背景技術】
【０００２】
従来の自動取引装置における振込取引の方法として、即日処理するか、指定日に処理するかをユーザに選択させ、指定日での処理が選択された場合、ユーザに振込みを実施する日付を入力させて、その日付になると、振込の処理を実行する技術が提案されている（例えば、特許文献１参照。）。
【特許文献１】特開２０００‐１４９０９７公報（第７−８頁）
【発明の開示】
【発明が解決しようとする課題】
【０００３】
しかしながら、上述した従来の技術においては、指定を行える日付はその指定日一日のみであり、毎月同じ日に振込を行う場合でも、月毎に振込日までに自動取引装置に出向いて、振込日の指定を行う必要があるので顧客にとっては手間がかかり、利便性に欠けるという問題があった。  
本発明は、上述した従来技術の課題を解決するためになされたものである。
【課題を解決するための手段】
【０００４】
そのため、振込日の指定等を行う画面情報を記憶部に記憶すると共に、該画面情報を操作表示部に表示する自動取引装置と、記憶部を有し、前記自動取引装置とデータの通信を行って取引を実行させるホストコンピュータとを備え、顧客が前記自動取引装置にて振込取引を行う際に、振込日の指定をするか否かの選択をさせ、顧客が振込日を指定する場合、振込期間および振込日を入力するための画面情報を前記記憶部から読み出して前記操作表示部に表示し、この画面に従って入力された振込期間および振込日を振込取引に必要な情報と共に予約情報として前記ホストコンピュータに送信し、前記ホストコンピュータは受信した前記予約情報を前記記憶部に記憶しておくことを特徴とする振込取引処理システム。              
【発明の効果】
【０００５】
これにより、本発明は、顧客が毎月振込操作をする手間を省くことができるという効果が得られる。
【発明を実施するための最良の形態】
【０００６】
以下に、図面を参照して本発明による振込を実行する日を指定する振込取引処理システムの実施例について説明する。
【実施例１】
【０００７】
図１は、本発明の振込取引処理システムの構成を示すブロック図である。
１は金融機関のセンタに設置されているホストコンピュータである。
２はホストコンピュータ１に接続されたデータベース（記憶部）であり、このデータベース２に口座開設者である各顧客の氏名、口座番号、暗証番号、口座残高、取引履歴等の各情報が格納されている。
また、このデータベース２には、振込み予約の際に、顧客により入力される取引に必要な情報や指定された振込期間、振込日等の予約情報も格納される。
３は自動取引装置であり、装置内に備えられた制御部４を専用回線等の通信回線を介してホストコンピュータ１と接続している。
【０００８】
ここで制御部４は、自動取引装置３内の各部を制御して取引処理を行うと共にホストコンピュータ１との間で行うデータの通信等も制御する。
５は自動取引装置３の記憶部であり、制御部４が上記の制御を実行するためのプログラムや制御部４の制御により実行された取引の処理結果等が格納される。
また、記憶部５には出金や入金、振込等の各種取引に必要な選択、入力用の画面情報や振込日の指定等を行う画面情報も格納されている。
【０００９】
６は操作表示部であり、ＣＲＴまたはＬＣＤ等の表示部とタッチパネル等の入力部で構成されており、記憶部５から制御部４により取引に応じて画面情報が読み出され、表示部に表示される。
７はカードリーダプリンタ部であり、顧客により挿入される取引カードの磁気ストライプ等に記録されている金融機関名、支店名、口座番号、口座の科目、残高、氏名等の口座情報を読込むと共に、取引後の新たな残高を書き込むカードリーダと、取引カードを搬送する搬送路およびその駆動機構、レシート等に取引明細を印字するプリンタ等を備えている。
【００１０】
８は通帳記帳部であり、顧客により挿入される通帳の磁気ストライプに記録されている前記と同様の口座情報を読込むと共に、取引後の新たな残高を書き込む磁気読取手段、取引内容等を通帳に記帳する記帳手段、通帳を搬送する搬送路とをその駆動機構等を備えている。
９は紙幣入出金部であり、顧客の紙幣を受け入れ、支払紙幣等を排出する入出金口およびその開閉を行うシャッタと、その駆動手段、紙幣の真偽や正損等を鑑別する鑑別手段、紙幣を金種毎に収納する金種別収納庫、搬送異常等のリジェクト紙幣を収納するリジェクト庫、これらの構成要素の間に設けられた紙幣を搬送する搬送路およびその切替機構と駆動機構等を備えている。
【００１１】
１０は硬貨入出金部であり、顧客の硬貨を受け入れ、支払硬貨等を排出する入出金口およびその開閉を行うシャッタと、その駆動機構、硬貨の真偽や正損等を鑑別する鑑別手段、硬貨を金種毎に収納する金種別収納庫、搬送異常等のリジェクト硬貨を収納するリジェクト庫、異物等を返却するための返却口、これらの部位の間に設けられ硬貨を搬送する搬送路およびその切替機構と駆動装置等を備えている。
【００１２】
これらの記憶部５、操作表示部６、カードリーダプリンタ部７、通帳記帳部８、紙幣入出金部９、硬貨入出金部１０はデータバスにより制御部４に接続されている。
次に、上記の構成の作用について説明する。
なお、以下の説明においては、図２のフローチャートを用いてＳで示すステップに従って、図３に示すプログラムの操作を示す機能ブロック図を参照して説明する。
まず、自動取引装置３の操作表示部６に、出金や入金、振込等の取引を選択する画面が表示された状態において、顧客はこの画面から希望の取引を選択する。
その取引としてここでは、顧客が振込を選択したものとする。
これにより、制御部４は口座から振込むか、現金により振込みを行うかの振込方法を選択させる画面を操作表示部６へ表示する（Ｓ１）。
顧客が現金による振込みを選択した場合（Ｓ２）、現金による振込処理を実行する（Ｓ３）。
この現金による振込処理は従来と同様に行われるので、その説明は省略する。
【００１３】
前記ステップＳ２で顧客が口座からの振込みを選択した場合、制御部４は取引カードの挿入を促す画面を操作表示部６に表示する。
この画面を見て顧客が取引カードを挿入すると、制御部４はカードリーダプリンタ部７により取引カードから口座情報を読取り、さらに、依頼人である顧客の氏名、電話番号、暗証番号の入力を促す画面を順次表示して顧客に操作表示部６から入力させ（Ｓ４）、それら依頼人情報を記憶部５に記憶させる。
続いて、制御部７は操作表示部６に振込先情報の入力を促す案内画面を順次表示する。
その案内画面に従って、顧客が操作表示部６から振込先の金融機関名、支店名、振込先口座番号、口座の科目、受取人の氏名等を入力すると（Ｓ５）、制御部４は、更に振込金額を入力させ（Ｓ６）、それらの振込先情報および振込金額を記憶部５に記憶させる。
【００１４】
次に、振込みを行う日付を指定するか否かを選択させる処理へ移行する。
なお、以下に説明する振込日の指定等は、記憶部５に格納された図３に示すプログラムの機能Ｐ１〜Ｐ６に基づき制御部４によって実行されるものであり、また、以下に表示される振込日の指定等を行う画面は、制御部４が記憶部５から読み出した画面情報に基づいて表示されるものとする。
【００１５】
すなわち、顧客が振込金額を入力すると、制御部４は、プログラムの日付指定受付機能Ｐ１に基づき、振込する日付を指定するか否かの選択を促す画面（選択画面）の情報を記憶部５から読み出して操作表示部６に表示する（Ｓ７）。
ここで図４に示す画面は振込みをする日付を指定するか否かの選択を促す画面であり、図４に示すように操作表示部６には振込みをする日付を指定するか選択を促す文言と共に、「日付を指定する」「日付を指定しない」というボタンを表示する。
また、日付を指定しない場合には、振込手続を行った日もしくは翌営業日に振込みが行われる旨の文言も表示される。
顧客が振込みする日付を指定しない場合、操作表示部６の表示より「振込する日付を指定しない」ボタンが押下され（Ｓ８）、これにより制御部４は記憶部５に記憶させた依頼人情報、振込先情報、振込金額等をホストコンピュータ１へ送信して取引の可否を問合せる（Ｓ１５）。
一方、ステップＳ８において操作表示部６に表示された前記図４に示す画面から「日付を指定する」ボタンが押下され、指定日での処理が選択された場合（Ｓ８）、制御部４はプログラムの振込受付機能Ｐ２に基づいて図５に示すような、特定の年月日に振込を行うか、指定期間内の月毎の一定日に振込を行うかの選択を促す画面を操作表示部６に表示する（Ｓ９）。
ここで図５に示す画面には特定の年月日に振込みを行うか、それとも指定期間内の月毎の一定日に振込みを行うか、選択を促す文言と共に「特定の年月日とします」「複数月振込みとします」というボタンを表示しており、顧客が特定の年月日に振込みを行うことを選択した場合、「特定の年月日とします」ボタンが押下される（Ｓ１０）。
【００１６】
これにより制御部４はプログラムの実行年月日受付機能Ｐ３に基づいて図６に示すような、振込みを実行する年月日を入力するよう促す画面を操作表示部６に表示する（Ｓ１１）。
図６に示す画面には振込みを実行する日付を入力するよう促す文言と共に、テンキーおよび「年」「月」「日」、「訂正」「確認」ボタンを表示しており、顧客がこのボタンにより振込年月日の入力を行うと、その振込年月日を画面の左側に表示する。
そして画面より振込年月日を確認した顧客が、「確認」ボタンを押下すると、制御部４はその振込年月日を記憶部５に記憶させる。
【００１７】
その後、制御部４は先に記憶部５に記憶した依頼人情報、振込先情報、振込金額と共にその振込年月日をホストコンピュータ１へ電文として送信する（Ｓ１５）。
他方、ステップＳ１０において顧客が指定期間内の月毎の一定日に振込みを行うことを選択する場合（Ｓ１０）、操作表示部６に表示された前記図５で示す「複数月振込とします」ボタンが押下される。
【００１８】
これにより制御部４は、振込期間と振込日の入力を促す画面（振込期間・振込日入力画面）の情報を記憶部５より読み出して操作表示部６に表示して顧客に振込期間と振込日の入力を促すが、まずプログラムの振込開始年月受付機能Ｐ４に基づき、図７に示すような、振込を開始したい年月を入力するよう促す画面を操作表示部６に表示する。
この図７に示す画面には、振込開始年月を入力するよう促す文言と共に、テンキーおよび「年」「月」「訂正」「確認」のボタンを表示しており、顧客が操作表示部６に表示されたこのボタンにより振込開始を希望する年月の入力を行うと（Ｓ１２）、その年月を画面の左側に振込開始年月として表示する。
【００１９】
そして、画面より振込開始年月を確認した顧客が、「確認」ボタンを押下すると、制御部４はその開始年月を記憶部５に記憶させ、次にプログラムの振込終了年月受付機能Ｐ５に基づいて図８に示すような、振込を終了する年月を入力するよう促す画面を操作表示部６に表示する。
この図８に示す画面には、振込終了年月を入力するよう促す文言と共に、上記と同様のテンキーおよび「年」「月」「訂正」「確認」のボタンを表示しており、顧客がこの操作表示部６に表示された画面から振込を終了する年月を入力すると（Ｓ１３）、上記振込開始年月の下側に振込終了年月として表示する。
【００２０】
そして、画面より振込終了年月を確認した顧客が、「確認」ボタンを押下すと、制御部４はその振込終了年月を記憶部５に記憶させ、さらにプログラムの期間内振込受付実行機能Ｐ６に基づいて図９に示すような、振込を実行する日を入力するよう促す画面を操作表示部６に表示する。
この図９に示す画面には振込期間内の振込みを実行する日を入力するよう促す文言と共に、テンキーおよび「日」「訂正」「確認」ボタンを表示しており、顧客がこの操作表示部６に表示された画面から振込を実行する日を入力すると（Ｓ１３）、上記振込終了年月の下側に振込日として表示する。
【００２１】
この画面を見た顧客により「確認」ボタンが押下されることによって、制御部４はその振込日を記憶部５に記憶させる。
これにより、振込期間と振込日の入力が終了すると、制御部４は先に記憶部５記憶させた依頼人情報、振込先情報、振込金額と共に、振込期間および振込日を電文としてホストコンピュータ１へ送信する（Ｓ１５）。
【００２２】
ホストコンピュータ１は送られてきた各種情報に基づいてこの振込みの手続に必要な手数料を算出し、または所定のテーブルから取出して取引の可否を判断する。
そして取引可能と判断した場合は、取引可能である旨の通知にその手数料の情報を付加して制御部４に返信する。
制御部４は、取引可能である旨の通知を受取ると、依頼人情報、振込先情報、振込金額、振込手数料等の取引内容を操作表示部６に表示する。
このとき、ステップＳ１０において特定の年月日に振込みを行うことが選択され、振込みを実行する年月日が入力されている場合はその振込年月日を、指定期間内の月毎の特定日に振込みを行うことが選択され、振込期間および振込日が入力されている場合はその振込期間および振込日を併せて表示する（Ｓ１６）。
そして、顧客が操作表示部６に表示された取引内容を確認して画面中の確認キーを押下すると、制御部４は再びホストコンピュータ１と通信を行って取引内容を通知する（Ｓ１７）。
【００２３】
そして制御部４は、カードリーダプリンタ部７で取引明細をレシートに印字し（Ｓ１８）、それを顧客へ放出すると共に取引カードを返却する（Ｓ１９）。
その後、ステップＳ８で振込をする日付が指定されなかった場合はホストコンピュータ１で振込先への振込みが行われるが、振込を行う日が指定されていた場合は、振込年月日又は、振込期間および振込日と共に、依頼人情報、振込先情報、振込金額、振込手数料等を振込の予約情報としてデータベース３に記憶しておき、指定の日になれば、記憶したそれらの情報を基に振込処理を実行する。
【００２４】
以上説明したように、指定期間内の月毎の振込日を設定することができるので、顧客が毎月振込操作をする手間を省くことができる。
なお、ステップＳ４において依頼人である顧客の情報を入力させる際に、顧客の電子メールアドレスを入力させておき、振込み実行の都度、金融機関の営業店等のサーバを通じて顧客にその旨を通知するようにしてもよい。
【００２５】
さらに図６から図９において指定期間内の月毎の一定日に振込を設定できるものとして説明したが、指定期間内の奇数月か偶数月かを指定して、その指定した月のみ振込みが行えるように設定することも可能であり、また、希望の月のみ振込みの指定が行えるように設定することも可能である。
【実施例２】
【００２６】
図１０は実施例２を示すインターネットバンキングのシステム構成を示す図である。
１１は顧客が使用するパーソナルコンピュータの本体（ＰＣ本体）であり、このＰＣ本体にＣＲＴまたはＬＣＤ等の表示部１２と顧客が入力を行うキーボードやマウス等の入力部１３が接続されている。
ここでＰＣ本体１１は、制御プログラムを格納し、入力部からの入力情報やインターネットを介して送られてくる情報を記憶する記憶部（ＨＤＤ）と、制御プログラムに基づいて入力部や表示部を制御すると共にインターネットを介して後述するサーバと通信する機能をもつ制御部を備えている。
１４はインターネットバンキングであり、インターネット上で取引を実行するサーバ１４ａを備え、このサーバ１４ａは口座開設者である各顧客の氏名、口座番号、顧客ＩＤ、確認番号、パスワード、電子メールアドレス、口座残高、取引履歴等の各口座情報や、残高照会や振込等の各種取引に必要な選択、入力用画面の情報を格納しているデータベース１４ｂ（記憶部）を有し、顧客のＰＣ本体１１の制御部とインターネットを介して通信を行う。
なお、この実施例においてＰＣ本体１１の制御部により表示部１２に表示される振込みのための選択、入力用画面の情報はデータベース１４ｂに格納されているものであり、この入力用画面の情報は、サーバ１４ａよりインターネットを介してＰＣ本体１１に提供され、予めＰＣ本体１１に格納されている図３に示すプログラムの機能に基づいて、表示部１２に表示されるものである。
【００２７】
次に上述した構成の作用について説明する。
尚、以下の説明において取引選択や振込みの指定等を行う画面は、必要に応じてサーバ１４ａからＰＣ本体１１の制御部に提供することで表示部１２に表示されるものとする。
顧客がパーソナルコンピュータを使用し、インターネットを介してサーバ１４ａにアクセスすると、パーソナルコンピュータの表示部１２に顧客ＩＤやパスワードの入力を促す画面が表示される。
【００２８】
それを見た顧客が入力部１３から顧客ＩＤ、パスワード等を入力すると、制御部はインターネットを介してサーバ１４ａにそれら顧客ＩＤ、パスワード等を送信する。
これを受けたサーバ１４ａはデータベース１４ｂに格納されている情報に基づいて本人確認を行い、本人であることを確認すると、取引許可の通知と共に、残高照会、振込、振替等の取引選択のための画面情報をＰＣ本体１１の制御部へ返信する。
【００２９】
これを受けたＰＣ本体１１の制御部は画面情報に基づいて取引選択のための画面を表示部１２に表示し、これを見た顧客が振込取引を行う場合、入力部１３により振込取引が選択される。
選択された情報がサーバ１４ａに送られると、サーバ１４ａによりデータベース１４ｂから振込のための現金の引落用口座として顧客の口座の口座番号、金融機関名、科目名が読み出されてＰＣ本体１１の制御部に返送され、制御部はこの口座番号、金融機関名、科目名を依頼人情報として表示部１２に表示し、内容の確認を促す。
【００３０】
これを見た顧客が内容を確認すると、続いて振込先の金融機関名、支店名、科目、口座番号、受取人氏名、振込金額等の振込先情報を入力するよう促す画面をパーソナルコンピュータの表示部１２に表示し、この画面に従って顧客が振込先情報を入力部１３より順次入力すると、ＰＣ本体１１の制御部はその入力された振込先情報を記憶部に順次記憶させると共に、サーバ１４ａに送信する。
続いてＰＣ本体１１の制御部は、振込する日付を指定するか否かの選択を促す画面を表示部１２に表示し、顧客が入力部１３から振込する日付を指定するという選択をした場合は、例えば実施例１と同様に、特定の年月日に振込を行うか、それとも指定期間内の月毎の一定日に振込を行うかの選択を促す画面を表示部１２に表示する。
【００３１】
この画面を見た顧客が特定の年月日で振込みを行うことを選択した場合、振込みを希望する年月日を入力するよう促す画面を表示部１２に表示し、これを見た顧客が入力部１３から振込みを希望する年月日を入力すると、ＰＣ本体１１の制御部は振込年月日を記憶部に記憶させると共に、サーバ１４ａに送信する。
一方、顧客が指定期間内の月毎の一定日に振込を行うことを選択した場合は、振込期間年月および振込日、つまり振込開始年月、振込終了年月、振込を実行する日を入力するよう促す画面を表示部１２に表示し、これを見た顧客により振込期間年月および振込日が入力部１３によって入力されると、ＰＣ本体１１の制御部は振込年月日を記憶部に記憶させると共に、サーバ１４ａに送信する。
【００３２】
このように、顧客により依頼人情報の内容が確認され、振込年月日又は振込期間年月および振込日、振込先情報等が入力され、サーバ１４ａに送信されると、ＰＣ本体１１の制御部は、それら取引内容を確認するよう促す画面と共に、確認番号を入力するよう促す画面を表示部１２に表示する。
そして取引内容を確認した顧客が入力部１３より確認番号を入力すると、ＰＣ本体１１の制御部はその確認番号をサーバ１４ａへ送信する。
【００３３】
確認番号を受信したサーバ１４ａはデータベース１４ｂに格納されている情報に基づいて取引の可否を判断し、取引可能と判断した場合は、依頼人情報、振込先情報、振込年月日、又は振込期間年月および振込日を振込の予約情報としてデータベース１４ｂに記憶させ、指定の日になると、前記の情報を基にホストコンピュータで振込処理を実行する。
なお、金融機関の営業店等のサーバを通じて振込み実行の都度、予め設定されている顧客の電子メールアドレスに、その旨を通知するようにしてもよい。
【００３４】
また、上記では顧客の口座情報を格納したデータベースをインターネットバンキング内に保有させるものとして説明したが、サーバがホストコンピュータのデータベースから口座情報を取得するようにしてもよい。
以上説明したように、指定期間内の月毎の振込日の設定をパーソナルコンピュータにて行うことにより、自宅等でいつでも振込みを実行する日を指定できるので、顧客の利便性を高めることができる。
【００３５】
なお、実施例２ではパーソナルコンピュータを使用するものとして説明したが、携帯電話やＰＤＡ（personal digital assistant）等のインターネットに接続可能な情報処理装置を使用して本実施例の振込取引の予約を行うことも可能である。
【図面の簡単な説明】
【００３６】
【図１】振込取引処理システムの構成を示すブロック図
【図２】振込取引を実行する日を指定する手順を示すフローチャート
【図３】プログラムの動作を示す機能ブロック図
【図４】振込みをする日付を指定するかの選択を促す画面を示す図
【図５】特定の年月日に振込みを行うか、指定期間内の月毎の一定日に振込を行うかの選択を促す画面を示す図
【図６】振込みを実行する年月日を入力するよう促す画面を示す図
【図７】振込みを開始する年月を入力するよう促す画面を示す図
【図８】振込みを終了する年月を入力するよう促す画面を示す図
【図９】振込期間内の振込みを実行する日を入力するよう促す画面を示す図
【図１０】インターネットバンキングのシステム構成を示す図
【符号の説明】
【００３７】
１  ホストコンピュータ
２  データベース
３  自動取引装置
４  制御部
５  記憶部
６  操作表示部
７  カードリーダプリンタ部
８  通帳記帳部
９  紙幣入出金部
１０  硬貨入出金部
１１  ＰＣ本体
１２  表示部
１３  入力部
１４  インターネットバンキング
１４ａ  サーバ
１４ｂ  データベース
【図１】
2006164116.tif 000003
【図２】
2006164116.tif 000004
【図３】
2006164116.tif 000005
【図４】
2006164116.tif 000006
【図５】
2006164116.tif 000007
【図６】
2006164116.tif 000008
【図７】
2006164116.tif 000009
【図８】
2006164116.tif 000010
【図９】
2006164116.tif 000011
【図１０】
2006164116.tif 000012